(57)【要約】【課題】使用している状態で薬剤保持体を目視できると共に、薬剤を効率良く大気に放散できる送風式薬剤放散装置とする。【解決手段】上面が閉塞され側面の上部寄りに放出口４を有し、かつ下部寄りに吸込口６を兼用する開口部５を有する装置本体１と、この装置本体１内に設けた送風機２と薬剤保持体３を備え、その薬剤保持体３は前記開口部５と対向して使用している状態で薬剤保持体３を目視できるようにすると共に、薬剤を含む空気は上部寄りの放出口４から放出されて上方に流れ、その空気が再び吸込口６から吸い込みされることがなく、薬剤を効率良く大気に放散できるようにする。【選択図】図２
2007060949.tif 000002
【特許請求の範囲】
【請求項１】
装置本体１と、この装置本体１内に設けた送風機２、薬剤保持体３を備え、
前記装置本体１は、その上面１ａが閉塞され、側面１ｂにおける上部寄りに放出口４を有し、かつ側面１ｂにおける下部寄りに開口部５を有し、
この開口部５は吸込口６を兼用し、送風機２を駆動することで開口部５から空気を吸い込んで薬剤保持体３を通して放出口４から放出されると共に、前記薬剤保持体３が開口部５と対向していることを特徴とする送風式薬剤放散装置。
【請求項２】
前記装置本体１は本体１０と収納体２０を備え、
その本体１０は上面板１１と周面板１２で下面が開口した箱形状で、その周面板１２に放出口４が形成され、この周面板１２の下部寄りに薬剤保持体３が着脱自在で、かつ本体１０の下面１０ａよりも下方に突出して設け、
前記収納体２０は底面板２１と、前記本体１０に着脱自在に連結される複数の連結部材２２を備え、その連結部材２２を本体１０に連結することで、その底面板２１が本体１０の下面１０ａよりも下方に突出して取付けられ、この底面板２１と本体１０の下面１０ａとの間に開口部５を形成している請求項１記載の送風式薬剤放散装置。
【請求項３】
前記収納体２０の底面板２１に支持片２６を設け、この支持片２６に薬剤保持体３が接し、その薬剤保持体３と底面板２１との間に隙間が形成されるようにした請求項２記載の送風式薬剤放散装置。
【請求項４】
前記本体１０に着用バンド３０を取付けた請求項１記載の送風式薬剤放散装置。
【請求項５】
前記本体１０の下部に送風機２、薬剤保持体３、収納体２０を取付け、
その本体１０の上部に吊下部材３２を設けた請求項１記載の送風式薬剤放散装置。
【発明の詳細な説明】
【技術分野】
【０００１】
本発明は、殺虫剤、忌避剤、芳香剤、消臭剤、除菌剤などの揮散性の薬剤を大気に放散する送風式薬剤放散装置に関する。
【背景技術】
【０００２】
特許文献１に送風式薬剤放散装置が開示されている。
この装置は、本体内に、送風機と薬剤保持体と電池を設けて送風機を駆動することで吸込口から放出口に空気が流通し、その放出口から放出される空気とともに薬剤保持体の薬剤が大気に放散される装置である。
【０００３】
特許文献２には、本体内に送風機、薬剤保持体、電池を設け、送風機を駆動することで本体の裏面に形成した吸込口から空気を吸い込み、薬剤保持体を通して本体の側面に形成した放出口から大気に放出するようにした送風式薬剤放散装置が開示されている。
【０００４】
【特許文献１】特開２００１−１９７８５６号公報
【特許文献２】特開２００２−２２６３０５号公報
【発明の開示】
【発明が解決しようとする課題】
【０００５】
前述の特許文献１に開示された装置は、その本体の表面に吸込口が形成されていると共に、本体の側面に放出口が形成されているので、この装置を使用している状態で、吸込口から薬剤保持体を目視することができ、その薬剤保持体が保持している薬剤の薬効が減少することで色が変化するようにした薬剤保持体を用いた場合に、その薬剤保持体の色を目視して薬剤の薬効が減少したことを判断できる。
しかし、前述した従来の装置においては、本体の上面から空気を吸い込み、薬剤を含有した空気を本体の側面から放出するので、その放出した空気は本体の上方に流れて吸込口から再び吸い込みされる恐れがあるから薬剤を効率良く大気に放散できない。
【０００６】
このことを解消するには、特許文献２に開示された装置にように、本体の裏面に吸込口を形成し、表面を閉塞された形状とすることが考えられる。
しかし、このようにした場合には薬剤保持体が本体で覆われて使用している状態では薬剤保持体を目視できないので、前述のように薬剤保持体を目視して薬剤の薬効が減少したことを判断することができない。
【０００７】
本発明の目的は、使用している状態で薬剤保持体を目視できると共に、薬剤を効率良く大気に放散できるようにした送風式薬剤放散装置を提供することである。
【課題を解決するための手段】
【０００８】
第１の発明は、装置本体１と、この装置本体１内に設けた送風機２、薬剤保持体３を備え、
前記装置本体１は、その上面１ａが閉塞され、側面１ｂにおける上部寄りに放出口４を有し、かつ側面１ｂにおける下部寄りに開口部５を有し、
この開口部５は吸込口６を兼用し、送風機２を駆動することで開口部５から空気を吸い込んで薬剤保持体３を通して放出口４から放出されると共に、前記薬剤保持体３が開口部５と対向していることを特徴とする送風式薬剤放散装置である。
【０００９】
第２の発明は、第１の発明において、前記装置本体１は本体１０と収納体２０を備え、
その本体１０は上面板１１と周面板１２で下面が開口した箱形状で、その周面板１２に放出口４が形成され、この周面板１２の下部寄りに薬剤保持体３が着脱自在で、かつ本体１０の下面１０ａよりも下方に突出して設け、
前記収納体２０は底面板２１と、前記本体１０に着脱自在に連結される複数の連結部材２２を備え、その連結部材２２を本体１０に連結することで、その底面板２１が本体１０の下面１０ａよりも下方に突出して取付けられ、この底面板２１と本体１０の下面１０ａとの間に開口部５を形成している送風式薬剤放散装置である。
【００１０】
第３の発明は、第２の発明において、前記収納体２０の底面板２１に支持片２６を設け、この支持片２６に薬剤保持体３が接し、その薬剤保持体３と底面板２１との間に隙間が形成されるようにした送風式薬剤放散装置である。
【００１１】
第４の発明は、第１の発明において、前記本体１０に着用バンド３０を取付けた送風式薬剤放散装置である。
【００１２】
第５の発明は、第１の発明において、前記本体１０の下部に送風機２、薬剤保持体３、収納体２０を取付け、
その本体１０の上部に吊下部材３２を設けた送風式薬剤放散装置である。
【発明の効果】
【００１３】
請求項１に係る発明によれば、薬剤保持体３は開口部５と対向しているから、使用している状態で薬剤保持体３を目視できる。
したがって、薬剤の薬効が減少したことを薬剤保持体３の色の変化で判断するようにした場合に、その薬剤保持体３の色の変化を目視して薬剤の薬効が減少したことを判断できる。
例えば、薬剤保持体３に色変色素などのインジケータ機能剤を付与することで薬剤保持体３のエンドポイント（使用限界）を、使用している状態で目視で確認することができる。
しかも、開口部５は装置本体１の側面１ｂにおける下部寄りに形成されて吸込口６を兼用するので、装置本体１の下部寄りから空気を吸い込み、その空気を薬剤保持体３を通して放出口４から大気に放出するので、薬剤を含有した空気は放出口４から上方にスムーズに放散し、その空気が再び吸込口６から吸い込まれる恐れがなく、薬剤を効率良く大気に放散できる。
【００１４】
請求項２に係る発明によれば、本体１０から収納体２０を外すことで、薬剤保持体３を交換することができる。
また、薬剤保持体３を設けた状態で、その薬剤保持体３は本体１０の下面１０ａよりも突出しているから、底面板２１と本体１０の下面１０ａとの間から薬剤保持体３を目視できる。
【００１５】
請求項３に係る発明によれば、収納体２０の底面板２１をテーブルや床などに載置して使用する際に、薬剤保持体３が支持片２６に接して底面板２１との間に隙間が形成されるので、開口部５から流入した空気は隙間を通って薬剤保持体３に向けて流れる。
したがって、載置型の送風式薬剤放散装置とした場合でも薬剤保持体３に空気をスムーズに流通して薬剤をスムーズに効率良く大気に放散できる。
【００１６】
請求項４に係る発明によれば、着用バンド３０を人体の手、腰や動物の首、足、胴などの着用部分に巻きつけて装置本体１を取付けて使用できる。
【００１７】
請求項５に係る発明によれば、吊下部材３２を人体のベルトや建家の壁などに固着して吊り下げて使用することができる。
【発明を実施するための最良の形態】
【００１８】
図１と図２に示すように、装置本体１と、この装置本体１内に設けた送風機２、薬剤保持体３で送風式薬剤放散装置を構成している。
前記装置本体１の上面１ａが閉塞され、側面１ｂの上部寄りに放出口４が形成されていると共に、側面１ｂの下部寄りに開口部５が形成されている。
この開口部５と前記薬剤保持体３が対向していると共に、送風機２を駆動することで開口部５から空気を吸い込み、その空気は薬剤保持体３を通過して放出口４から大気に放出されるように構成し、その開口部５が吸込口６を兼用すると共に、薬剤保持体３を目視するための窓を構成している。
【００１９】
このようであるから、装置本体１の底面１ｃをテーブル、床などに載置し、送風機２を駆動して使用している状態で、その開口部５から空気を吸い込んで薬剤保持体３を通過して放出口４から大気に放出される。
よって、放出口４から大気に放出された薬剤を含む空気は上方に流れ、その空気が開口部５（吸込口６）から再び吸い込まれることがなく、薬剤を効率良く大気に放散できる。
【００２０】
また、前述のようにして使用している状態で、開口部５から薬剤保持体３を目視できる。
よって、薬剤の薬効が減少したことを薬剤保持体３の色の変化、消失、大きさ変化などの現象で判断するようにした場合に、その薬剤保持体３を目視して薬剤の薬効が減少したことを判断できる。
例えば、薬剤保持体３に色変色素などのインジケータ機能剤を付与することで薬剤保持体３のエンドポイント（使用限界）を、使用している状態で目視で確認することができる。
さらに具体的には、前述の色変するタイプのインジケータ機能剤としては、電子供与性呈色化合物、顕色剤、減感剤からなる可変色色素を担持体（含浸体）に含浸したものは、減感剤、又は顕色剤に用いた薬剤が揮散し、残存量が低下することで電子供与性呈色化合物と顕色剤との反応が開始し呈色を生起し、担持体の色調が変化する。
色調としては、赤、黒、青、緑、紫、橙、黄、茶など多くの色が可能であり、前記３成分の選定、組合せ等によって希望する色調、色濃度、色変時期を得ることができる。
また、油溶性の色素や染料の採用により、例えば色素等を薬剤に溶解させ、色素等と親和性のない担持体に保持することにより揮散に伴い色彩の減色で確認できる。
また、水筆法の原理をインジケータとして使用することもできる。
水筆法とは、例えば着色した紙材などの担持体に薬剤を含浸すると共に表面に酸化チタンの微粒子を付着させ、薬剤の消失に伴い着色した元の色から酸化チタンの白色に変化させる方法で、着色した紙材として、赤、橙、黄、緑、青、紫、藍、白、黒、グレーなど彩色が挙げられ、色変化、文字や模様などの表示で確認できる。
一方、消失などするタイプのインジケータとしては、例えばそれ自体が昇華し経時的に消える昇華性物質を担持体、又は混合した担持体に使用する。また、水、アルコールなど液体をゲル化し、経時的に含有液体が揮散し縮小するゲル化物を担持体に使用する。
前記タイプの場合、これら担持体から成る薬剤保持体は、収納体からこぼれないように保持される形状にする必要がある。
【００２１】
次に、各部材の具体形状を説明するが、必ずしもこの形状に限ることはないことは勿論である。
前記装置本体１は本体１０と収納体２０を着脱自在に連結したものである。  
前記本体１０は上面板１１と周面板１２で下面が開放した箱形状で、上面板１１に電池収納室１３を有する。この電池収納室１３は着脱自在な蓋１３ａを備え、その内部に乾電池１４が収納される。
前記周面板１２の上部寄りに放出口４が形成されている。
前記周面板１２の開口縁には内向きフランジ１５が一体的に設けてあると共に、その周面板１２の内周面の下部寄りにリング状のプレート１６が一体的に設けてあり、このプレート１６と前記内向きフランジ１５とで内向きの環状凹部１７を形成している。
前記送風機２は上面板１１の内面に取付けたモータ２ａと、このモータ２ａで駆動されるファン２ｂを備え、そのモータ２ａは前記乾電池１４を電源として駆動される。
【００２２】
前記収納体２０は底面板２１と、この底面板２１に設けた複数の連結部材２２を備え、その連結部材２２を本体１０の下部に連結して本体１０と収納体２０を連結すると、本体１０の下面１０ａよりも収納体２０の底面板２１が下方に突出し、その底面板２１と本体１０の下面１０ａとで前述の開口部５を形成している。
前記連結部材２２は、図３に示すように前記底面板２１に周方向に間隔を置いて複数設けてあり、その各連結部材２２に亘ってリング体２４が設けられて隣接した連結部材２２とリング体２４と底面板２１で窓部２３を形成している。前記リング体２４は外向きフック２５を周方向に間隔を置いて複数有し、この外向きフック２５を前述の内向きフランジ１５の切欠部１５ａに挿通してプレート１６に押しつけ、その状態で若干の角度だけ回転することで外向きフランジ２５が前述の環状凹部１７に嵌合して連結される。
前記底面板２１の上面には支持片２６が複数設けてあり、前述のように底面板２１をテーブル、床などに載置した場合に、薬剤保持体３の下面が支持片２６に接して底面板２１との間に隙間を形成する。
【００２３】
前記薬剤保持体３は、本体１０の周面板１２の下部に着脱自在に設けてある。
この実施の形態では薬剤保持体３は収納体２０に着脱自在に支持され、その収納体２０とともに本体１０の周面板１２に着脱自在に設けてある。
前記薬剤保持体３は、容器３ａ内にプレート状の薬剤担持体３ｂを設け、押えプレート３ｃで保持したもので、その容器３ａが収納体２０の支持片２６上に載置して着脱自在に設けられ、その容器３ａの下面（薬剤保持体３の下面）と底面板２１との間に隙間が形成される。
そして、前記開口部５から流入した空気は、前述の隙間を通って容器３ａの開口から薬剤担持体３ｂに流入し、押えプレート３ｃの開口から本体１０内に流れる。
なお、収納体２０を容器３ａとしても良い。例えば、薬剤担持体３ｂを収納体２０内に納め固持して使用する。
【００２４】
前記薬剤保持体３（容器３ａ）は本体１０の下面１０ａよりも下方に突出し、前述の開口部５と対向するようにしてある。
これにより、収納体２０の底面板２１をテーブル、床などに載置して使用する状態において、前述の開口部５から薬剤保持体３を目視できる。
また、前述の容器３ａ、又は／及び押えプレート３ｃは、その全部又はその一部が透明になるように、透明性材料などを用いて成型したものでも良い。
このようにすれば薬剤担持体３ｂがより見えやすくなる。
なお、本体１０に立脚部を設けて、テーブル、床などに載置するようにしても良い。
【００２５】
前記収納体２０は図４に示すように、一対の連結部材２２を外向きフック２５で連結した下向きコ字形状部材２７を、底面板２１に周方向に間隔を置いて複数設け、隣接した下向きコ字形状部材２７間に空気がスムーズに流通するようにしても良い。
この収納体２０であれば、下向きコ字形状部材２７を弾性変形するようにすることで、その外向きフック２５を内向きフランジ１５に押しつけて内周寄りに弾性変形して収納体２０を本体１０に連結することができる。
【００２６】
前記収納体２０は図５に示すように、連結部材２２と支持片２６を一体鉤形状とし、その支持片２６を底面板２１に周方向に間隔を置いて複数設けたものとしても良い。
【００２７】
前記本体１０と収納体２０を螺合して着脱自在に連結しても良い。
例えば、図６に示すように本体１０の周面板１２の下部内周面にねじ部１２ａを形成し、収納体２０の外向きフランジ２５にねじ部２５ａを形成し、そのねじ部２５ａとねじ部１２ａを螺合することで連結するようにする。
【００２８】
前述の実施の形態は載置型の送風式薬剤放散装置であるが、次に、人体、家畜やペット等の動物に着用して使用する着用型の送風式薬剤放散装置の実施の形態を説明する。
図７と図８に示すように、装置本体１と着用バンド３０を備え、この着用バンド３０を人体の手、腰や動物の首、足、胴などの着用部分に巻きつけて装置本体１を取付けて着用して使用する。
前記本体１０は前述と同様であるが、側面の両側に電池収納室１３をそれぞれ有し、側面の電池収納室１３を形成していない部分に放出口４が形成されている。
前記本体１０の下面１０ａは、電池収納室１３を形成している両側部の下面が中央部下面よりも下方に延設し、その下面１０ａはほぼコ字形状である。
この本体１０の電池収納室１３を形成する部分の下面にバンド取付部３１がそれぞれ設けてあり、このバンド取付部３１に着用バンド３０が挿通し、かつ収納体２０の底面板２１に接するようにして取付けてある。
なお、着用バンド３０の長手方向両端部にはバックルと穴が形成されている。
また、前記着用バンド３０を、例えば腕時計タイプのように、本体１０の側面１０ｂの両側に直接取り付けた形態としても良い。
【００２９】
次に、人体の腰や建家の壁などの被取付部に吊り下げて取付ける吊下型の送風式薬剤放散装置の実施の形態を説明する。
図９と図１０に示すように、本体１０の下部に送風機２、薬剤保持体３、収納体２０が取付けてあり、その本体１０の上部に、蓋１３ａを有する電池収納室１３が形成されている。
この本体１０の電池収納室１３を形成した上部裏面に吊下部材３２が設けてある。
この吊下部材３２は突片３３とフック３４を備え、そのフック３４を人体のバンドなどに差し込んで取付ける。
この場合には装置本体１は縦向きで使用され、本体１０の上面１０ａは縦向きとなる。
【００３０】
前述の実施の形態のように、モータ２ａの電源としては、装置の簡単化や小型化、軽量化から乾電池の使用が好ましいが、燃料電池や交流電源（商用電源）が使用されるものであっても良い。
【図面の簡単な説明】
【００３１】
【図１】載置型の実施の形態を示す正面図である。
【図２】載置型の実施の形態を示す断面図である。
【図３】収納体の斜視図である。
【図４】収納体の異なる実施の形態を示す斜視図である。
【図５】収納体の異なる実施の形態を示す斜視図である。
【図６】収納体を螺合して取付けした状態の断面図である。
【図７】着用型の実施の形態の正面図である。
【図８】着用型の実施の形態の断面図である。
【図９】吊下型の実施の形態を示す正面図である。
【図１０】吊下型の実施の形態を示す断面図である。
【符号の説明】
【００３２】
１…装置本体、２…送風機、３…薬剤保持体、４…放出口、５…開口部、６…吸込口、１０…本体、２０…収納体、２１…底面板、２２…連結部材、２３…窓部、２６…支持片、３０…着用バンド、３２…吊下部材。
【図１】
2007060949.tif 000003
【図２】
2007060949.tif 000004
【図３】
2007060949.tif 000005
【図４】
2007060949.tif 000006
【図５】
2007060949.tif 000007
【図６】
2007060949.tif 000008
【図７】
2007060949.tif 000009
【図８】
2007060949.tif 000010
【図９】
2007060949.tif 000011
【図１０】
2007060949.tif 000012